(57)【要約】【課題】比較的簡易な構成により低コストでキャビネット内側の強度を全体的かつ均一的に高めることができ、特に背板についての薄肉化および軽量化を推進できるとともに、振動やそれに伴う騒音の発生を有効に防止でき、支持すべき食器籠や棚板の載置部形状および材質変化に対応できるようにする。【解決手段】建物上部に電動式昇降機構によって上下動可能に吊下された両側板７ａおよび背板７ｄを有する前面開口のキャビネット２の内部に、食器籠７ａを着脱可能に載置し得る構成とし、上下動するキャビネット２の背板２ｄに、食器籠７ａを載置するリブ３７を設ける。【選択図】  図１
2005021299.tif 000002
【特許請求の範囲】
【請求項１】
建物上部に電動式昇降機構によって上下動可能に吊下された両側板および背板を有する前面開口のキャビネットの内部に、食器籠を着脱可能に載置し得る構成とした電動昇降吊戸棚において、前記上下動するキャビネットの背板に、食器籠を載置するリブを設けたことを特徴とする電動昇降吊戸棚。
【発明の詳細な説明】
【０００１】
【発明の属する技術分野】
本発明は、食器乾燥器または水切り棚等、食器を収納して昇降し得る電動昇降吊戸棚に係り、特に食器籠を載置するキャビネットの背板の構造強化、軽量化等を図った電動昇降吊戸棚に関する。
【０００２】
【従来の技術】
この種の電動昇降棚では、キャビネットに支持された食器籠に多量の食器を収納して昇降動作することから、食器籠を支持するキャビネット構成用壁部に対しては、耐荷重、耐振動等の面で、一定以上の構造強度を必要とする。一方、キャビネット自体の軽量化による効率化を図る面ため、壁厚の低減化の要請も受ける。
【０００３】
このような多くの要請のもとで、従来ではキャビネットの周壁構造強化に関する提案がなされている（例えば特許文献１参照）。この提案においては、比較的薄いキャビネット構成壁を端部側もしくは周囲から、補強板等によってサンドイッチ状に挟持することで構造強化を図っている。
【０００４】
【特許文献１】
特開２００３−９９６２号公報
【０００５】
【発明が解決しようとする課題】
ところが、上述した従来技術においては、キャビネットの構成部品数が多くなり、構成が複雑化するとともに、製作手間が多く、それにより高コスト化を招き、さらに部品の結合部数が多いため振動や振動に伴う騒音の発生箇所が増大する一方、キャビネット構成壁自体の強度向上としては必ずしも効果的ではない。
【０００６】
また、連結箇所が多い場合には食器籠や棚板を載置支持する部位が減少し、食器籠や棚板の載置状態が不安定化する場合がある。さらに、強化箇所が偏在し、部分的な低強度箇所に荷重が集中して全体強度に問題が生じる可能性もある。また、従来の構造では、キャビネット内に設けられる食器籠や棚板の載置部形状や材質が変化した場合にそれらの全域を支持できなくなる場合や、対応が困難である場合もある。
【０００７】
本発明は、このような事情に鑑みてなされたもので、比較的簡易な構成により低コストでキャビネット内側の強度を全体的かつ均一的に高めることができ、特に背板についての薄肉化および軽量化を推進できるとともに、振動やそれに伴う騒音の発生を有効に防止でき、支持すべき食器籠や棚板の載置部形状および材質変化に対応できる電動式昇降吊戸棚を提供することを目的とする。
【０００８】
【課題を解決するための手段】
上記の目的を達成するため、本発明では、建物上部に電動式昇降機構によって上下動可能に吊下された両側板および背板を有する前面開口のキャビネットの内部に、食器籠を着脱可能に載置し得る構成とした電動昇降吊戸棚において、前記上下動するキャビネットの背板に、食器籠を載置するリブを設けたことを特徴とする電動昇降吊戸棚を提供する。
【０００９】
【発明の実施の形態】
以下、本発明に係る電動昇降吊戸棚の一実施形態について図１〜図３を参照して説明する。なお、本実施形態は、一例として、システムキッチンにおける天井設置式の昇降式食器乾燥機として適用する場合について説明する。ただし、その他の電動昇降吊戸棚、例えば乾燥庫、水切り棚等、種々の吊戸棚に適用することができる。
【００１０】
図１は、本実施形態による昇降式食器乾燥機の全体構成を示す斜視図である。図２は側断面図であり、図３は前面を省略し、一部断面で示す正面図である。
【００１１】
図１および図２に示すように、本実施形態の昇降式食器乾燥機は、基本的に、天井またはその付近に設置される外箱１と、この外箱１に昇降可能に設けられたキャビネットとしての内箱２とを有し、外箱１の前面には扉３が設けられている。
【００１２】
外箱１は、天板１ａ、前垂板１ｂ、両側板１ｃ、背板１ｄ等により構成され、下端全面および前面の前垂板１ｂ以外の部分が開口している。この外箱１の両側板１ｃの内面に、内箱２を昇降ガイドするための縦長なガイドレール４がそれぞれ設けられ、天板１ａの内面（下面）には部品支持用のフレーム５が設けられている。この外箱１の前垂板１ｂに、扉３がその上端縁部の例えば３個所に設けたヒンジ６を介して連結され、これにより扉３は上端縁部を支点として下端側を前後方向に回動し得る構成となっている。
【００１３】
内箱２は食器乾燥機本体を構成するもので、上板２ａ、下板２ｂ、両側板２ｃおよび背板２ｄにより前面が開口する形状とされ、内部に上下２段の食器籠７ａ，７ｂを着脱可能に載置し得る構成とされている。この内箱２の両側板２ｃの外面間の寸法が、外箱１の両側板１ｃの内面間の寸法よりも僅かに小さく設定され、これら各側板１ｃ，２ｃ間にそれぞれ縦長な幅狭い側方空間８が形成されている。なお、内箱２の高さは外箱１より十分小さく、内箱２上方に機器スペースが形成されるようになっている。
【００１４】
この内箱２の内底部は傾斜したドレン受け用の集水部２２として構成されており、この集水部２２で集められるドレンが排水口２３を介して、底板２ｂの前方側に着脱可能に設けた水受皿２４に貯留されるようになっている。
【００１５】
そして、下段の食器籠７ｂは、比較的大型の食器を立て掛けて収納し得る構成のもので、上下寸法の大きい柵状をなしている。この下段の食器籠７ｂは内箱２の内底部である集水部２２上に安定的に載置され、内箱２の両側板２ｃおよび背板２ｄに対しては、下段の食器籠７ｂの重量が全体として作用するだけである。
【００１６】
一方、上段の食器籠７ａは、比較的小型の食器類を収納するもので、扁平な柵状の形状をしており、内箱２の両側板２ｃおよび背板２ｄにおける略中間高さ位置に載置されるようになっている。したがって、この上段の食器籠７ａは内箱２の両側板２ｃおよび背板２ｄに対し、曲げ荷重を負荷し得るとともに、昇降時には同的荷重をも負荷し得る。したがって、内箱２の両側板２ｃおよび背板２ｄには、上段の食器籠７ａに対し、薄肉化、軽量化および強度等の対応が重要な架台トなる。
【００１７】
本実施形態では、上段の食器籠７ａの前端縁部の全体を、内箱２の両側板２ｃにおける前面側の対向部間に架設した横長な支持ロッド３６に載置して、上段の食器籠７ａの前縁側の荷重を左右の両側板２ｃにより均等に支持する構成なっている。
【００１８】
また、上段の食器籠７ａの後端縁部については、背板２ｄの内面側に左右方向全体に亘って一体に突出形成したリブ３７によって均等に支持するようになっている。このリブ３７は、肉薄な金属あるいは樹脂等の高強度軽量材からなる背板２ｄを、図２に示したように、内面側に膨出する例えば断面Ｖ字形状に屈曲させて形成し、または図示しないが背板２ｄの材質により、前記同様の外形を有する中実な突起として形成したものである。
【００１９】
この内箱２の内面側に突出するリブ３７の表面は全体として平坦であり、上部の食器籠７ａの後援側を全体的に、かつ均一に載置して、均等に荷重支持を行うようになっている。
【００２０】
したがって、このような形状のリブ３７を有する内箱２の背板２ｄには、左右方向全体に亘って均等に荷重が作用する一方、背板２ｄには、リブ３７の長手方向である左右方向に沿う剛性が均等に増大している。なお、このリブ３７の下方に、図示しないが縦リブを所定の間隔で内側に向って突出する形状として形成すれば、さらに剛性が増大する。
【００２１】
このような構成によると、図示した上段の食器籠７ａの後縁の荷重をリブ３７を介し、背板２ｄの左右方向全体に亘って均等に支持し得るとともに、前方に設けた支持ロッド３６により、食器籠７ａの前縁側の荷重を均等に支持することができるため、上段の食器籠７ａのほぼ全域を均等な荷重として載置することができ、これにより上段の食器籠７ａを安定して載置することができるようになる。
【００２２】
また、支持ロッド３６およびリブ３７を設けたことにより、特別の載置部材を別に設ける必要がないため、部品点数を少なくすることができるとともに、コストを抑制することができる。
【００２３】
なお、図示しないが、背板２ｄと一体に載置部を設けることにより、背板２ｄの強度を増すことができるとともに、昇降時に発生するおそれがある背板２ｄの振動および振動に伴う振動音の発生を防止することができる。
【００２４】
また、食器籠７ａや図示しない棚板を載置する場合、その食器籠７ａ等の載置部形状や、材質等が変化しても、上記構成によれば載置部が内箱２ｄの前後において左右方向の略全域に亘っているため、支持対応が容易である。
【００２５】
さらに、リブ３７の形成により内箱２ｄの強度を高めることできるため、背板２ｄの肉厚を小さくすることが可能となる。
【００２６】
また、載置部材を別に設ける必要がないため、部品点数を少なくすることができるとともにコストを抑えることができる。
【００２７】
背板２ｄと一体に載置部としてのリブ３７を設けることにより、背板２ｄの強度を増すことができるとともに、昇降時に発生するおそれがある背板２ｄの振動および振動に伴う振動音の発生をも防止することが可能となる。
【００２８】
このような内箱２が、外箱１に昇降機構９により昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有する。
【００２９】
この昇降機構９のベルト１３は例えば２本構成であり、その各ベルト１３により内箱２の左右２箇所が吊上げられる方式となっている。各ベルト１３は、一つの巻取りドラム１２に同時に巻上げられ、それにより内箱２が常時一定姿勢で昇降することができる。内箱２の両側板２ｃの外面部にはそれぞれスライダ４ａが設けられ、このスライダ４ａが外箱１のガイドレール４に案内されることにより、確実に内箱２の昇降時の姿勢が安定する。
【００３０】
内箱２の天板２ａ上には送風機１８、ヒータ１９およびダクト２０が設けられ、送風口２１を介して内箱２に温風が供給されるようになっている。
【００３１】
操作部のスイッチを介しての下降指令の出力により巻取りドラム１２が回転して内箱２が下降し、また上昇指令の出力により、内箱２が上昇する。
【００３２】
本実施形態では、内箱２と扉３とが、外箱１と内箱２との各側板１ｃ，２ｃ間に形成される側方空間８に配設したリンク機構３３によって連結されている。各リンク機構３３は、各２本ずつのアーム３４，３５により構成され、内箱２の昇降に伴って扉３を開閉させるようになっている。また、扉３の上端側支点近傍位置と外箱１とは、引張りコイルばね３８によって接続され、これにより扉３には常閉方向の付勢力が常時付与されている。
【００３３】
以上の本実施形態の構成によると、電動昇降吊戸棚の内側キャビネットを構成する内箱２の内部に、上段の食器籠７ａを着脱可能に載置し得る構成とし、この上下動する内箱２の背板２ｄに、食器籠７ａを載置するリブ３７を設けたことにより、比較的簡易な構成をもって低コストで、キャビネット内側の強度を全体的かつ均一的に高めることができる。特に、背板２ｄについての薄肉化および軽量化を推進できるとともに、振動やそれに伴う騒音の発生を有効に防止でき、支持すべき食器籠や棚板の載置部形状および材質変化に対応することが可能となる。
【００３４】
【発明の効果】
以上で詳述したように、本発明によれば、比較的簡易な構成により低コストでキャビネット内側の強度を全体的かつ均一的に高めることができ、特に背板についての薄肉化および軽量化を推進できるとともに、振動やそれに伴う騒音の発生を有効に防止でき、支持すべき食器籠や棚板の載置部形状および材質変化に対応できる電動式昇降吊戸棚を提供することができる。
【図面の簡単な説明】
【図１】本発明に係る扉付き昇降ユニットの一実施形態を示す斜視図。
【図２】図１に示した扉付き昇降ユニットの側断面図。
【図３】図１に示した扉付き昇降ユニットの前面を開放した状態で示す正面図。
【符号の説明】
１  外箱
２  内箱
３  扉
４  ガイドレール
４ａ  スライダ
５  フレーム
６  ヒンジ
７  食器籠
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
３３  リンク
３４，３５  アーム
３６  支持ロッド
３７  リブ
３８  コイルばね
【図１】
2005021299.tif 000003
【図２】
2005021299.tif 000004
【図３】
2005021299.tif 000005